(57)【特許請求の範囲】
【請求項１】
熱可塑性プラスチックをブロー成形してなる中空二重壁構造のパネルであって、中空二重壁構造の一方の壁と他方の壁の間に他方の壁の一部を一方の壁に接するまで突出させて形成した一体壁状のインナーリブを備え、少なくとも他方の壁の外表面には、上記インナーリブに対応する部位の線上で切れ目がある表皮材をブロー成形時に熱溶着してなることを特徴とする表皮付パネル。
【請求項２】
他方の壁を一方の壁に接するまで突出させて形成するインナーリブ内に、インナーリブを形成するコア部材を残留させて一体状に埋め込ませてあることを特徴とする請求項１記載の表皮付パネル。
【請求項３】
熱可塑性プラスチックからなる中空二重壁構造でかつ中空二重壁構造の一方の壁と他方の壁の間に他方の壁の一部を一方の壁に接するまで突出させて形成した一体壁状のインナーリブを備えたパネルをブロー成形する方法であって、一方および他方の金型からなる一対の分割金型の他方の金型には、インナーリブを形成するためのスライドコアを備えており、少なくとも中空二重壁構造の他方の壁を成形する他方のキャビティと熱可塑性プラスチックのパリソンとの間に、切れ目のある表皮材をその切れ目を予め他方の金型のキャビティに突出させたスライドコアに挿通して他方の金型のキャビティに保持した状態として型締めし、他方の壁の一部を一方の壁に接するまで突出させた後、スライドコアをキャビティ面まで後退させ、次いでパリソン内に圧力流体を導入してブロー圧により中空二重壁構造の他方の壁の外表面に上記表皮材を熱溶着するとともに、上記スライドコアにより突出させた壁の側面を互いに溶着して一方の壁と他方の壁との間に一体壁状のインナーリブを形成することを特徴とする表皮付パネルの製造方法。
【請求項４】
インナーリブを形成するためのスライドコアは、キャビティから進出したままインナーリブ内に残留させるコア部材を有し、インナーリブ内にコア部材を残留させて一体状に埋め込ませることを特徴とする請求項３記載の表皮付パネルの製造方法。
【発明の詳細な説明】
【０００１】
【発明の属する技術分野】
本発明は、熱可塑性プラスチックをブロー成形することにより製造される中空二重壁構造で、かつ中空二重壁構造の一方の壁と他方の壁の間に他方の壁の一部を一方の壁に接するまで突出させて形成した一体壁状のインナーリブを備え、少なくとも他方の壁の外表面に表皮材を熱溶着してなる表皮付パネルおよびその製造方法に関するものである。
【０００２】
【従来の技術】
従来から、建築物の内装壁、パーティション、扉、あるいは自動車部品であるヘッドレスト、アームレスト、リヤーパーセルシェルフ、カーゴフロアパネルなどを構成するプラスチック製のパネルにおいては、そのパネルに意匠的効果をもたせたり手触り感触を良くするため、パネルの外表面に、外方向に布などの表皮材を貼ったものが用いられている。
【０００３】
そして、プラスチック中空体をブロー成形し、ブロー成形時に中空体の表面に不織布などの表皮材を熱溶着して一体成形した表皮付パネルおよびその製造方法は、特開平１０−２３５７２０号公報に記載されている。
【０００４】
【発明が解決しようとする課題】
ところで、前掲の特開平１０−２３５７２０号公報に示す表皮付パネルは、中空二重壁構造をなす一方の壁の外表面に表皮材を熱溶着したものであるが、他方の壁には、一方の壁に向けてインナーリブを形成する関係でその外表面に布などの表皮材を熱溶着することができず、パネルの両外表面を表皮材で覆ったものは得られない。
【０００５】
そこで、本発明は、中空二重壁構造の一方の壁と他方の壁の間に他方の壁の一部を一方の壁に接するまで突出させて形成した一体壁状のインナーリブを備えたものであっても、他方の壁の外表面に、インナーリブに対応する部位の線上で切れ目がある表皮材をブロー成形時に熱溶着することにより、パネルのインナーリブを形成する外表面をも表皮材で覆った表皮付パネルおよびその製造方法を提供することを目的とするものである。
【０００６】
【課題を解決するための手段】
上記目的を達成するため、本発明に係る表皮付パネルは次のように構成した。すなわち、請求項１に記載するように、熱可塑性プラスチックをブロー成形してなる中空二重壁構造のパネルであって、中空二重壁構造の一方の壁と他方の壁の間に他方の壁の一部を一方の壁に接するまで突出させて形成した一体壁状のインナーリブを備え、少なくとも他方の壁の外表面には、上記インナーリブに対応する部位の線上で切れ目がある表皮材をブロー成形時に熱溶着してなることを特徴とするものである。
【０００７】
そして、本発明に係る表皮付パネルは、請求項２に記載するように、請求項１の構成において、他方の壁を一方の壁に接するまで突出させて形成するインナーリブ内に、インナーリブを形成するコア部材を残留させて一体状に埋め込ませてあることを特徴とするものである。
【０００８】
また、本発明に係る表皮付パネルの製造方法は、請求項３に記載するように、熱可塑性プラスチックからなる中空二重壁構造でかつ中空二重壁構造の一方の壁と他方の壁の間に他方の壁の一部を一方の壁に接するまで突出させて形成した一体壁状のインナーリブを備えたパネルをブロー成形する方法であって、一方および他方の金型からなる一対の分割金型の他方の金型には、インナーリブを形成するためのスライドコアを備えており、少なくとも中空二重壁構造の他方の壁を成形する他方のキャビティと熱可塑性プラスチックのパリソンとの間に、切れ目のある表皮材をその切れ目を予め他方の金型のキャビティに突出させたスライドコアに挿通して他方の金型のキャビティに保持した状態として型締めし、他方の壁の一部を一方の壁に接するまで突出させた後、スライドコアをキャビティ面まで後退させ、次いでパリソン内に圧力流体を導入してブロー圧により中空二重壁構造の他方の壁の外表面に上記表皮材を熱溶着するとともに、上記スライドコアにより突出させた壁の側面を互いに溶着して一方の壁と他方の壁との間に一体壁状のインナーリブを形成することを特徴とするものである。
【０００９】
そして、本発明に係る表皮付パネルの製造方法は、請求項４に記載するように、請求項３の方法において、インナーリブを形成するためのスライドコアは、キャビティから進出したままインナーリブ内に残留させるコア部材を有し、インナーリブ内にコア部材を残留させて一体状に埋め込ませることを特徴とするものである。
【００１０】
【発明の実施の形態】
図１および図２は本発明に係る表皮付パネルとしてカーゴフロアリッドパネルを例示し、図１は全体斜視図、図２は一部の詳細断面図である。
【００１１】
また、図３ないし図５は本発明に係る表皮付パネルのブロー成形態様を示し、図３は全体の断面図、図４はスライドコアを進出させた状態の一部の詳細断面図、図５はスライドコアを後退させてインナーリブを形成した態様の一部詳細断面図である。
【００１２】
図１および図２において、１はカーゴフロアリッドパネル（以下、パネルと略称する）であって、このパネル１は熱可塑性プラスチックをブロー成形したなるものである。パネル１は中空二重壁構造をなし、２はその一方の壁、３は他方の壁、４は周壁、５は中空部である。一方の壁２の外表面および他方の壁３の外表面は、表皮材６，７が一体に熱溶着されている。
【００１３】
上記パネル１の他方の壁３には、その他方の壁３の一部を一方の壁２に接するまで突出させ、かつその突出部を一体壁状に形成してなるインナーリブ８が形成されている。９は一体壁状の接合面である。パネル１は、このインナーリブ８によりその一方の壁２と他方の壁３が一体化され、剛性および強度の大なるものとなる。インナーリブ８は、一方の壁２と他方の壁３との間にあって、中空部５に橋渡しされて一体壁状をなすものであって、一般的なリブのような凹部を有するものではないから、一方の壁２も他方の壁３もともに平坦な面となる。
【００１４】
パネル１の一方の壁２の外表面に熱溶着された表皮材６は、その全面を覆う一枚状のものであり、他方の壁３に熱溶着された表皮材７は、インナーリブ８に対応する部位の線上に切れ目１０があり、他方の壁３の外表面に熱溶着された状態で、上記切れ目１０の互いの端面が接して一面状となっている。パネル１の周壁４は、一方の壁２の外表面を覆う表皮材６と他方の壁３の外表面を覆う表皮材７で略半分を境にして互いに接するように覆われている。
【００１５】
本発明に係るパネル１は、図３ないし図５に示すように、熱可塑性プラスチックをブロー成形してなるものである。一対の分割金型は、一方の金型１１と他方の金型１２で構成されており、他方の金型１２には、インナーリブ８を形成するためのスライドコア１３を備えている。このスライドコア１３は、他方の金型１２のキャビティ１４に突出しかつ後退自在となっている。
【００１６】
一対の金型の一方の金型１１のキャビティ１５と他方の金型１２のキャビティ１４の間にはパリソン１６が配置され、かつパリソン１６と一方の金型１１のキャビティ１５との間には表皮材６が、またパリソン１６と他方の金型１２のキャビティ１５との間には表皮材７がそれぞれ配置される。そして、表皮材７の切れ目１０はスライドコア１３に対応していて、その切れ目１０を予め他方の金型１２のキャビティ１４に予め少しだけ突出させたスライドコア１３に挿通することにより、表皮材７を他方の金型１２のキャビティ１４に保持した状態とする。
【００１７】
次いで、一対の分割金型を型締めし、他方の金型１２のスライドコア１３キャビティ１４から一方の金型１１のキャビティ１５に向けて進出させ、パリソン１６の他方の壁３となる部分の一部をパリソン１６の一方の壁２となる部分に接するまでさらに突出させて、その頂端面をパリソン１６の一方の壁２となる部分に溶着する。
【００１８】
続いて、スライドコア１３をその先端がキャビティ１４の面と同一の位置に戻るまで後退させ、その状態でパリソン１６内に圧力流体を導入し、パリソン１６内の圧力を高めると、パリソン１６の他方の壁３となる部分の突出した部分は、その両側面が互いに押圧され一体に溶着されて一体壁状のインナーリブ８が形成されるが、インナーリブ８は、図５に示すように、その突出した壁の両側面が互いに溶着一体化されるとともに頂端面は一方の壁２に溶着される。
【００１９】
一方、キャビティ１４，１５に向けてパリソン１６が圧着されるので、パリソン１６の一方の壁２となる部分には表皮材６が、また他方の壁３となる部分には表皮材７が熱溶着されるが、パリソン１６と他方の金型１２のキャビティ１４との間に配置される表皮材７は、その切れ目１０がスライドコア１３に対応しているので、スライドコア１３は表皮材７の切れ目１０を通して表皮材７に何ら妨げられることなく進出させることができる。そして、スライドコア１３を後退させると、他方の壁３となる部分には、表皮材７がその切れ目１０の互いの端面が接した状態で熱溶着されるので、他方の壁３の外表面は、表皮材７により一面状に覆われることになる。
【００２０】
インナーリブ８は、一方の壁２と他方の壁３の間にあって、中空部５に橋渡しされてパリソン１６の２枚分が溶着面９で一体壁状に形成されるので、パネル１は剛性などの強度性に優れるだけでなく、一般的なリブのように凹部を有せず、一方の壁２も他方の壁３もともに平坦な面となる。
【００２１】
本発明に係るパネル１を構成する熱可塑性プラスチック材料は、ポリエチレン樹脂、ポリプロピレン樹脂、エチレン−酢酸ビニル共重合体、塩化ビニル樹脂、ＡＢＳ樹脂（アクリロニトリル−スチレン−ブタジエン樹脂）、ポリアミド樹脂、ポリスチレン樹脂、ポリエステル樹脂、さらにはポリカーボネート、変性ポリフェニレンエーテルなどのエンジニアリングプラスチックスなどのブロー成形可能な樹脂が使用できる。
【００２２】
また、表皮材６，７は、綿、麻、羊毛、絹などの天然繊維、ビスコースレーヨン、銅アンモニアレーヨンなどの再生繊維、アセテート、レーヨンなどの半合成繊維、ナイロン、ポリエステル、アクリル、ビニロン、ポリプロピレン、ポリウレタンなどの合成繊維、およびこれらのブレンド繊維を加工して得られる編物、織物、不織布を起毛した布地や剪毛した布地であり、布の拡がり方向に対して垂直方向の一方向に向けて起毛状態の毛羽を有するものが意匠的に好適であるが、表皮材６，７は毛羽を有しないものであってもよいことは勿論である。
【００２３】
なお、図示しないが、本発明においては、インナーリブを形成するためのスライドコア１３に埋設用のコア部材を保持させて、他方の金型１２のキャビティ１４からコア部材を進出させたまま、インナーリブ８内にコア部材を残留させて一体状に埋め込ませるものとすることができる。そして、この構成とすれば、パネル１はその剛性および強度がいっそう向上したものとなる。そのためのコア部材としては、金属板であることが一般的である。
【００２４】
【発明の効果】
本発明によれば、中空二重壁構造の一方の壁と他方の壁の間に他方の壁の一部を一方の壁に接するまで突出させて形成した一体壁状のインナーリブを備えたものであっても、他方の壁の外表面に、インナーリブに対応する部位の線上で切れ目がある表皮材を、その切れ目の互いの端面が接するようにブロー成形時に熱溶着することのより、パネルのインナーリブを形成する外表面をも表皮材で完全に覆った表皮付パネルを得ることができるものである。
【図面の簡単な説明】
【図１】本発明に係る表皮付パネルの一実施の形態として、カーゴフロアリッドパネルを例示する全体斜視図である。
【図２】同上一部の詳細断面図である。
【図３】図３本発明に係る表皮付パネルのブロー成形態様を示す全体の断面図である。
【図４】同上スライドコアを進出させた状態の一部の詳細断面図である。
【図５】同上スライドコアを後退させてインナーリブを形成した態様の一部詳細断面図である。
【符号の説明】
１  表皮付パネル
２  一方の壁
３  他方の壁
４  周壁
５  中空部
６  表皮材
７  表皮材
８  インナーリブ
９  溶着面
１０  切れ目
１１  一方の金型
１２  他方の金型
１３  スライドコア
１４  キャビティ
１５  キャビティ
１６  パリソン
【図１】
0003811661.tif 000002
【図２】
0003811661.tif 000003
【図３】
0003811661.tif 000004
【図４】
0003811661.tif 000005
【図５】
0003811661.tif 000006